(57)【要約】【課題】  大便器の形状によらずにこれを確実に固定し、重量物である大便器を狭小空間で簡便に運搬可能な用具の提供。【解決手段】  大便器運搬用具は、トイレ空間に大便器を設置又は取り外す作業の際に前記大便器を運搬する大便器運搬用具であって、前記大便器の底よりも上の部分で前記大便器を固定する固定部と、前記大便器を昇降させる昇降部と、を備え、前記トイレ空間の床に沿って水平方向に移動可能である。【選択図】  図９
2017165571.tif 000002
【特許請求の範囲】
【請求項１】
トイレ空間に大便器を設置又は取り外す作業の際に前記大便器を運搬する大便器運搬用具であって、
前記大便器の底よりも上の部分で前記大便器を固定する固定部と、
前記大便器を昇降させる昇降部と、
を備え、
前記トイレ空間の床に沿って水平方向に移動可能である大便器運搬用具。
【請求項２】
前記固定部は、前記大便器のボウル部における前記大便器のリム部の下で前記大便器を支持する請求項１記載の大便器運搬用具。
【請求項３】
前記固定部は、前記大便器のスカート部で前記大便器を支持する請求項１または２に記載の大便器運搬用具。
【請求項４】
前記固定部が前記大便器を固定した状態において、
前記昇降部は、前記大便器の前後方向における中心よりも後に設けられる請求項１〜３のいずれか１つに記載の大便器運搬用具。
【請求項５】
前記固定部および前記昇降部よりも下に設けられ、前記床において回転可能な車輪をさらに備えた請求項１〜４のいずれか１つに記載の大便器運搬用具。
【請求項６】
前記固定部が、リム部に係合し前記大便器を支える支持部を備えてなる、請求項１〜５のいずれか１つに記載の大便器運搬用具。
【請求項７】
前記固定部が、前記大便器の前記スカート部にあたり前記大便器を支える受け部をさらに備えてなる、請求項６に記載の大便器運搬用具。
【請求項８】
前記受け部が前記大便器のスカート部に沿う形状を有してなる、請求項７に記載の大便器運搬用具。
【請求項９】
前記支持部が略矩形の部材であり、その端部においてリム部に係合し、これを支持する、請求項６または７に記載の大便器運搬用具。
【請求項１０】
前記支持部が、その略中央部に設けられた軸において互いに回転自在に軸支された二本の部材からなり、それぞれの部材の一端をリム部に係合し、他方のそれぞれの端を引き上げることで、前記大便器のリム部を支持する、請求項６または７に記載の大便器運搬用具。
【請求項１１】
支柱と、
当該支柱の途中に軸支された連結部と、
当該連結部の前記支柱に軸支された端とは他方の端に、回転自在に支持された支持部と、
前記支柱の、前記連結部の軸支箇所よりも下の位置で、かつ前記固定部が大便器のリム部を支持する位置よりも下の位置に設けられた受け部と、
前記支柱の下端に設けられた車輪と
を備え、
前記支持部を前記大便器のリム部に係合させてこれを支持し、その後、前記支柱の、連結部が軸支された位置よりも上の位置を力点とし前記車軸を支点とし、前記大便器を前記受け部で支えながら傾け、前記大便器を床から持ちあげ、水平方向に運搬可能とする、請求項７〜１０のいずれか１つに記載の大便器運搬用具。
【発明の詳細な説明】
【技術分野】
【０００１】
本発明は、大便器の運搬用具に関し、より詳しくは、大便器の形状によらずにこれを確実に固定し、重量物である大便器を狭小空間で簡便に運搬可能な用具に関する。
【背景技術】
【０００２】
トイレ設置工事、とりわけトイレリフォームにおいて大便器を設置又は取り外す作業に際し、大便器は、現在のところ一般的には、作業者が人力で持ち上げ、運搬し又は移動させている。
【０００３】
一般住宅または小規模な店舗もしくはビルにおいて、大便器が設置されるトイレ空間は狭小であり、トイレに至る経路も狭い。このため、１〜２名の作業者で大便器を運搬するのが一般的である。重い大便器を運搬し又は移動させる場合、製造工場内では、例えばいわゆるマテハン機器を使用することができるが、狭小なトイレ空間ではこのような機器を使用して大便器を搬送することはほぼ不可能である。
【０００４】
また、陶製の大便器は、約２０〜４０ｋｇの重さを有する重量物である。重い大便器を狭小空間で運搬することは重労働であり、怪我や事故のリスクを高く伴う。
【０００５】
他方、ガスボンベ、ドラム缶、Ｕ字溝、マンホール蓋、溝蓋などの物品も重量物である。これらの物品は形状やサイズが規格化されているため、これらの物品の形状に合った一定の構造を有し、これらの物品を比較的簡便に、特に作業現場で運搬又は移動可能な用具が実用化されている。例えば、特開２０１１−１９０５９１号公報（特許文献１）は、マンホール蓋をフックで引っ掛け、てこで持ち上げる装置を提案する。また、特表平０７−５０５８５２号公報（特許文献２）は、家具等の物品をブラケット様部材で下から支えて、てこで持ち上げる装置を提案する。さらに、特開昭６０−０１９６０４号公報（特許文献３）は、溝蓋をその両端から相対する力で挟みつけ、かつ下から支えて、てこで持ち上げる装置を提案する。
【０００６】
大便器についてもこのような作業現場で利用できる運搬用具があれば有用であるが、大便器は不定形の物品、つまり、製造年やシリーズにより、その外形、リム形状、穴の大きさ等が異なり、様々な形状を有することから、運搬用具は種々の形状に対応できるものでなければならない。
【先行技術文献】
【特許文献】
【０００７】
【特許文献１】特開２０１１−１９０５９１号公報
【特許文献２】特表平０７−５０５８５２号公報
【特許文献３】特開昭６０−０１９６０４号公報
【発明の概要】
【発明が解決しようとする課題】
【０００８】
従って、本発明は、上述のような課題に対し、大便器の形状によらずにこれを確実に固定し、重量物である大便器を狭小空間で簡便に運搬可能な用具の提供を目的としている。
【課題を解決するための手段】
【０００９】
そして、本発明による大便器運搬用具は、トイレ空間に大便器を設置又は取り外す作業の際に前記大便器を運搬する大便器運搬用具であって、前記大便器の底よりも上の部分で前記大便器を固定する固定部と、前記大便器を昇降させる昇降部と、を備え、前記トイレ空間の床に沿って水平方向に移動可能である。
【００１０】
一般的に、大便器は、上部が下部（底を含む部分）よりも水平方向に広がった形状を有する。また、大便器の上縁には、リム部が形成されている。リム部の肉厚は、リム部の下の部分の肉厚よりも厚いことが多い。本発明による大便器運搬用具は、このような大便器の形状の特性を利用し、大便器の底よりも上の部分で大便器を固定し、大便器を昇降させることができる。そして、大便器運搬用具は、トイレ空間の床に沿って水平方向に移動することができる。これにより、大便器の形状によらずにこれを確実に固定し、重量物である大便器を狭小空間で簡便に運搬することができる。
【００１１】
本発明による大便器運搬用具において、前記固定部は、前記大便器のボウル部における前記大便器のリム部の下で前記大便器を支持することができる。一般的に、大便器のリム部は、大便器の上縁から大便器の内側の部分すなわちボウル部に向かって延びている。そのため、固定部は、大便器の内側から外側に向かって突っ張ることで、ボウル部におけるリム部の下で大便器を支持し固定することができる。これにより、大便器の底を支持しなくとも大便器を支持することができるため、トイレ空間に大便器を設置又は取り外す作業の効率を向上させることができる。
【００１２】
本発明による大便器運搬用具において、前記固定部は、前記大便器のスカート部で前記大便器を支持することできる。一般的に、大便器は、上部が下部（底を含む部分）よりも水平方向に広がった形状を有する。そのため、固定部は、大便器のスカート部で大便器を支持することで、安定して大便器を固定することができる。さらに、固定部は、ボウル部におけるリム部の下で大便器を支持するとともに、スカート部で大便器を支持すると、大便器の内側および外側からリム部を挟むように大便器を挟持できる。この場合には、固定部は、より安定して大便器を固定することができる。なお、この場合には、スカート部における支持位置がリム部の下における支持位置よりも低いと、固定部は、より安定して大便器を固定することができる。
【００１３】
本発明による大便器運搬用具では、前記固定部が前記大便器を固定した状態において、前記昇降部は、前記大便器の前後方向における中心よりも後に設けられてもよい。大便器の重心位置は、大便器の前後方向における中心よりも後に存在することが多い。そのため、昇降部が大便器の前後方向における中心よりも後に設けられていることにより、大便器を安定して運搬することができる。
【００１４】
本発明による大便器運搬用具は、車輪をさらに備えることができる。車輪は、前記固定部および前記昇降部よりも下に設けられ、前記床において回転可能とされている。これにより、大便器運搬用具は、トイレ空間の床に沿ってより容易に水平方向に移動することができる。そのため、重量物である大便器を狭小空間で簡便に運搬することができる。
【００１５】
本発明による大便器運搬用具では、前記固定部が、リム部に係合し前記大便器を支える支持部を備えていてもよい。これにより、支持部は、大便器の底を支持しなくともリム部に係合し大便器を支持することができる。そのため、トイレ空間に大便器を設置又は取り外す作業の効率を向上させることができる。
【００１６】
上記の大便器運搬用具において、前記固定部が、前記大便器の前記スカート部にあたり前記大便器を支える受け部をさらに備えていてもよい。これにより、支持部がボウル部におけるリム部の下で大便器を支持するとともに、受け部がスカート部で大便器を支持することができる。そのため、支持部および受け部は、大便器の内側および外側からリム部を挟むように大便器を挟持することができ、より安定して大便器を固定することができる。
【００１７】
本発明による大便器運搬用具では、前記支持部が略矩形の部材であり、その端部においてリム部に係合し、これを支持することができる。あるいは、前記支持部が、その略中央部に設けられた軸において互いに回転自在に軸支された二本の部材からなり、それぞれの部材の一端をリム部に係合し、他方のそれぞれの端を引き上げることで、前記大便器のリム部を支持することができる。
【００１８】
本発明による大便器運搬用具は、支柱と、当該支柱の途中に軸支された連結部と、当該連結部の前記支柱に軸支された端とは他方の端に、回転自在に支持された支持部と、前記支柱の、前記連結部の軸支箇所よりも下の位置で、かつ前記固定部が大便器のリム部を支持する位置よりも下の位置に設けられた、前記大便器のスカート部に沿う形状の受け部と、前記支柱の下端に設けられた車輪と、を備え、前記支持部を前記大便器のリム部に係合させてこれを支持し、その後、前記支柱の、連結部が軸支された位置よりも上の位置を力点とし前記車軸を支点とし、前記大便器を前記受け部で支えながら傾け、前記大便器を床から持ちあげ、水平方向に運搬可能である。これにより、「てこの原理」を利用して大便器を床から上昇させることができ、トイレ空間の床に沿って水平方向に移動することができる。そのため、重量物である大便器を狭小空間で簡便に運搬することができる。
【図面の簡単な説明】
【００１９】
【図１】本発明の実施形態に係る大便器運搬用具が大便器に取り付けられた状態を表す斜視図である。
【図２】本実施形態に係る大便器運搬用具を表す斜視図である。
【図３】図１に表した切断面Ａ１−Ａ１における断面図である。
【図４】本実施形態の受け部の変形例を表す上面図である。
【図５】本発明の他の実施形態に係る大便器運搬用具を表す側面図である。
【図６】図５に表した矢印Ａ１１の方向にみたときの本実施形態に係る大便器運搬用具を表す正面図である。
【図７】図６に表した矢印Ａ１２の方向にみたときの本実施形態に係る大便器運搬用具を表す上面図である。
【図８】本実施形態に係る大便器運搬用具が大便器を上昇させたときの状態を表す側面図である。
【図９】大便器が上昇する前の状態および大便器が上昇した後の状態を併せて表した側面図である。
【図１０】本実施形態に係る大便器運搬用具を表す斜視図である。
【図１１】本発明のさらに他の実施形態に係る大便器運搬用具を表す側面図である。
【図１２】図１１に表した矢印Ａ１３の方向にみたときの本実施形態に係る大便器運搬用具を表す正面図である。
【図１３】本実施形態に係る大便器運搬用具が大便器を上昇させたときの状態を表す側面図である。
【図１４】大便器が上昇する前の状態および大便器が上昇した後の状態を併せて表した側面図である。
【図１５】本発明のさらに他の実施形態に係る大便器運搬用具を表す側面図である。
【図１６】図１５に表した矢印Ａ１４の方向にみたときの本実施形態に係る大便器運搬用具を表す正面図である。
【図１７】本実施形態に係る大便器運搬用具が大便器を上昇させたときの状態を表す側面図である。
【図１８】本発明のさらに他の実施形態に係る大便器運搬用具を表す側面図である。
【図１９】図１８に表した矢印Ａ１４の方向にみたときの本実施形態に係る大便器運搬用具を表す正面図である。
【図２０】本実施形態に係る大便器運搬用具が大便器を上昇させたときの状態を表す側面図である。
【発明を実施するための形態】
【００２０】
以下、本発明の実施の形態について図面を参照しつつ説明する。なお、各図面中、同様の構成要素には同一の符号を付して詳細な説明は適宜省略する。
図１は、本発明の実施形態に係る大便器運搬用具が大便器に取り付けられた状態を表す斜視図である。
図２は、本実施形態に係る大便器運搬用具を表す斜視図である。
図３は、図１に表した切断面Ａ１−Ａ１における断面図である。
図４は、本実施形態の受け部の変形例を表す上面図である。
なお、図４（ａ）は、変形例の受け部が大便器のスカート部を支持する前の状態を表している。図４（ｂ）は、変形例の受け部が大便器のスカート部を支持した後の状態を表している。図４（ａ）および図４（ｂ）は、変形例の受け部を上下方向にみたときの状態を表している。
【００２１】
本願明細書において、「上」とは、トイレ空間の床９０に立った人からみて上の方向をいい、「下」とは、トイレ空間の床９０に立った人からみて下の方向をいう。「前」とは、トイレ空間の床９０に立った人が大便器８０を長手方向にみたときに手前の方向をいい、「後」とは、トイレ空間の床９０に立った人が大便器８０を長手方向にみたときに奥の方向をいう。「左」とは、大便器８０の前に立った人からみて左の方向をいい、「後」とは、大便器８０の前に立った人からみて右の方向をいう。
【００２２】
本実施形態に係る大便器運搬用具１０は、トイレ空間に大便器８０を設置又は取り外す際に利用され、大便器８０を運搬するものである。大便器運搬用具１０は、支柱１００と、固定部２００と、昇降部３００と、を備える。支柱１００、固定部２００および昇降部３００の材料は、特には限定されず、大便器運搬用具１０が大便器８０を運搬可能な範囲において、金属であってもよいし、樹脂であってもよい。あるいは、支柱１００、固定部２００および昇降部３００の材料は、木材、木材チップに樹脂を含浸させたもの、紙（ボール紙、段ボールなど）、紙に樹脂を含浸させたもの、炭素繊維、およびＦＲＰなどの積層素材の少なくともいずれかまたはその組み合わせであってもよい。これは、後述する大便器運搬用具１０Ａ、１０Ｂ、１０Ｃ、１０Ｄにおいても同様である。
【００２３】
図１に表したように、支柱１００は、大便器運搬用具１０が大便器８０に取り付けられた状態において前後方向に延びる。支柱１００の一方の端部は、大便器運搬用具１０が大便器８０に取り付けられた状態において、前後方向に延びた部分から下に屈曲し、大便器８０のスカート部８４０に延びる。以下では、大便器運搬用具１０が大便器８０に取り付けられた状態を想定して、大便器運搬用具１０に関する方向を説明する。
【００２４】
固定部２００は、支柱１００の一方の端部に設けられ、支持部２１０と、受け部２２０と、連結部２３０と、を有する。支持部２１０は、連結部２３０を介して支柱１００に接続され、例えば左右方向などの水平方向に延びている。左右方向にみたときに、支持部２１０は、略矩形を呈する。支持部２１０は、大便器８０のボウル部８２０における大便器８０のリム部８３０の下で大便器８０を支持する。
【００２５】
具体的に説明すると、図３（ａ）に表したように、大便器８０の上縁に形成されたリム部８３０の肉厚は、リム部８３０の下の部分８３１の肉厚よりも厚い。言い換えれば、大便器８０のリム部８３０は、大便器８０の上縁から大便器８０の内側の部分すなわちボウル部８２０に向かって延びている。
【００２６】
あるいは、図３（ｂ）に表したように、リム部８３０Ａの下の部分８３１Ａが開いている場合において、リム部８３０Ａは、大便器８０の上縁からボウル部８２０に向かって延びている。あるいは、図３（ｃ）に表したように、リム部８３０Ｂの下の部分８３１Ｂがボウル部８２０に滑らかに接続されている場合において、リム部８３０Ｂは、大便器８０の上縁からボウル部８２０に向かって延びている。
【００２７】
そのため、支持部２１０は、リム部８３０の下の部分８３１に引っ掛かり、大便器８０の内側から外側に向かって力を与えることで、ボウル部８２０におけるリム部８３０の下で大便器８０を支持し固定することができる。なお、以下では、大便器８０の上縁に図３（ａ）に表したリム部８３０が形成された場合を例に挙げて説明する。
【００２８】
受け部２２０は、支柱１００が下へ屈曲した部分のうちでスカート部８４０に対向する部分に設けられ、大便器８０のスカート部８４０で大便器８０を支持する。具体的に説明すると、大便器８０は、上部が下部（底８１０を含む部分）よりも水平方向に広がった形状を有する。そのため、受け部２２０は、スカート部８４０で大便器８０を支持し、大便器８０の外側から内側に向かって力を与えることで、安定して大便器８０を支持し固定することができる。
【００２９】
このように、固定部２００は、大便器８０の底８１０よりも上の部分で大便器８０を支持し固定することができる。
【００３０】
昇降部３００は、支柱１００の他方の端部に設けられ、第１の把持部３１０と、第２の把持部３２０と、第３の把持部３３０と、第４の把持部３４０と、を有する。第１の把持部３１０および第２の把持部３２０は、互いに離れた位置において支柱１００に接続され、左右方向に延びている。第３の把持部３３０および第４の把持部３４０のそれぞれは、第１の把持部３１０および第２の把持部３２０に接続され、前後方向に延びている。つまり、第１の把持部３１０、第２の把持部３２０、第３の把持部３３０および第４の把持部３４０は、上下方向にみたときに略矩形を呈する。図１に表したように、固定部２００が大便器８０を固定した状態において、昇降部３００は、大便器８０の前後方向における中心Ｃ１０よりも後に設けられている。
【００３１】
トイレ空間に大便器８０を設置又は取り外す作業者は、第１の把持部３１０、第２の把持部３２０、第３の把持部３３０および第４の把持部３４０の少なくともいずれかを把持することができる。そして、その作業者は、昇降部３００を把持し、持ち上げたり下げたりすることで、大便器８０を昇降させることができる。このように、昇降部３００は、大便器８０を昇降させることができる。
【００３２】
そして、作業者は、大便器８０の底８１０よりも上の部分で大便器８０を固定部２００により支持するとともに、昇降部３００を把持して大便器８０を持ち上げることで、大便器８０を運搬することができる。このように、本実施形態に係る大便器運搬用具１０は、トイレ空間の床９０に沿って水平方向に移動することができる。
【００３３】
本実施形態に係る大便器運搬用具１０によれば、大便器８０の形状によらずにこれを確実に固定し、重量物である大便器８０を狭小空間で簡便に運搬することができる。また、固定部２００は、大便器８０の内側から外側に向かって突っ張ることで、ボウル部８２０におけるリム部８３０の下で大便器８０を支持し固定することができる。これにより、大便器８０の底８１０を支持しなくとも大便器８０を支持することができるため、トイレ空間に大便器８０を設置又は取り外す作業の効率を向上させることができる。
【００３４】
さらに、固定部２００は、ボウル部８２０におけるリム部８３０の下で大便器８０を支持するとともに、スカート部８４０で大便器８０を支持することができる。すなわち、固定部２００は、大便器８０の内側および外側からリム部８３０を挟むように大便器８０を挟持できる。これにより、固定部２００は、より安定して大便器８０を固定することができる。
【００３５】
一般的に、大便器８０の重心位置は、大便器８０の前後方向における中心Ｃ１０よりも後に存在する。ここで、前述したように、昇降部３００は、大便器８０の前後方向における中心Ｃ１０よりも後に設けられている。これにより、作業者は、大便器８０を安定して運搬することができる。
【００３６】
なお、受け部２２０がスカート部８４０を支持する位置は、支持部２１０がリム部８３０の下の部分８３１を支持する位置よりも低いことがより好ましい。この場合には、固定部２００は、より安定して大便器８０を固定することができる。
【００３７】
図１および図２に表した受け部２２０は、図４（ａ）および図４（ｂ）に表した受け部２２０Ａに置き換えられてもよい。図４（ａ）および図４（ｂ）に表した受け部２２０Ａは、基部２２１と、第１の当接部２２２と、第２の当接部２２３と、を有する。第１の当接部２２２は、基部２２１の一方の端部に接続され、上下方向に延びた第１の軸部２２４を中心として基部２２１に対して回動自在に軸支されている。第２の当接部２２３は、基部２２１の他方の端部に接続され、上下方向に延びた第２の軸部２２５を中心として基部２２１に対して回動自在に軸支されている。
【００３８】
第１の当接部２２２および第２の当接部２２３は、基部２２１に対して回動自在に軸支されているため、図４（ｂ）に表したように、受け部２２０Ａがスカート部８４０で大便器８０を支持するとスカート部８４０の表面に沿うように回転する。これにより、受け部２２０Ａは、大便器８０の形状によらずに大便器８０をより確実に支持することができる。
【００３９】
次に、本発明の他の実施形態に係る大便器運搬用具について、図面を参照しつつ説明する。
図５は、本発明の他の実施形態に係る大便器運搬用具を表す側面図である。
図６は、図５に表した矢印Ａ１１の方向にみたときの本実施形態に係る大便器運搬用具を表す正面図である。
図７は、図６に表した矢印Ａ１２の方向にみたときの本実施形態に係る大便器運搬用具を表す上面図である。
図８は、本実施形態に係る大便器運搬用具が大便器を上昇させたときの状態を表す側面図である。
図９は、大便器が上昇する前の状態および大便器が上昇した後の状態を併せて表した側面図である。
図１０は、本実施形態に係る大便器運搬用具を表す斜視図である。
【００４０】
本実施形態に係る大便器運搬用具１０Ａは、支柱１００Ａと、固定部２００Ａと、昇降部３００Ａと、車輪１１０と、を備える。支柱１００Ａは、上下方向に延びている。固定部２００Ａは、支柱１００Ａの中央部よりも下に設けられ、支持部２１０と、受け部２２０Ｂと、連結部２３０Ａと、を有する。
【００４１】
支持部２１０は、連結部２３０Ａの他方の端部２３２に接続され、左右方向に延びた軸Ｃ２を中心として連結部２３０Ａに対して回動自在に軸支されている。支持部２１０は、ボウル部８２０におけるリム部８３０の下で大便器８０を支持する。この詳細については、後述する。支持部２１０の形状は、図１および図２に関して前述した支持部２１０と同様である。
【００４２】
昇降部３００Ａは、固定部２００Ａよりも上において支柱１００Ａに設けられている。作業者は、昇降部３００Ａを把持することができる。そして、作業者は、昇降部３００Ａを把持し、大便器運搬用具１０Ａを操作することができる。
【００４３】
連結部２３０Ａは、一方の端部２３１において、支柱１００Ａに取り付けられた保持部１２０に接続され、左右方向に延びた軸Ｃ１を中心として保持部１２０に対して回動自在に軸支されている。連結部２３０Ａは、他方の端部２３２において支持部２１０に接続され、左右方向に延びた軸Ｃ２を中心として支持部２１０に対して回動自在に軸支されている。
【００４４】
受け部２２０Ｂは、支持部２１０よりも下において支柱１００Ａに設けられている。つまり、図５および図６に表したように、受け部２２０Ｂは、支柱１００Ａのうちでスカート部８４０に対向する部分に設けられている。図７に表したように、受け部２２０Ｂは、スカート部８４０の表面に沿う形状を有し、スカート部８４０で大便器８０を支持する。この詳細については、後述する。
【００４５】
図１０に表したように、本実施形態に係る大便器運搬用具１０Ａは、２つの車輪１１０を有する。車輪１１０は、固定部２００Ａおよび昇降部３００Ａよりも下において支柱１００Ａに取り付けられている。具体的には、車輪１１０は、支柱１００Ａの下端部に取り付けられている。車輪１１０は、トイレ空間の床９０において回転することができる。
【００４６】
図５および図９に表した矢印Ａ２１のように、作業者が昇降部３００Ａを把持し前に向かって移動させると、支持部２１０は、リム部８３０の下の部分８３１（図３（ａ）参照）に引っ掛かり、大便器８０の内側から外側に向かって力を与える。これにより、支持部２１０は、ボウル部８２０におけるリム部８３０の下で大便器８０を支持し固定することができる。
【００４７】
作業者が昇降部３００Ａをさらに前に向かって移動させると、車輪１１０が床９０の上を転がり、図５に表した矢印Ａ２２のように、受け部２２０Ｂが後に向かって移動する。すると、受け部２２０Ｂは、スカート部８４０に当たり、大便器８０の外側から内側に向かって力を与える。これにより、受け部２２０Ｂは、スカート部８４０で大便器８０を支持することができる。
【００４８】
このように、固定部２００Ａは、大便器８０の底８１０よりも上の部分で大便器８０を支持し固定することができる。
【００４９】
受け部２２０Ｂがスカート部８４０に当たった状態から作業者が昇降部３００Ａをさらに前に向かって移動させると、大便器８０は、図８および図９に表したように床９０から上昇する。このように、本実施形態に係る大便器運搬用具１０Ａでは、作業者は、昇降部３００Ａを前に向かって移動させることで、支点を車輪１１０とし、力点を昇降部３００Ａとし、作用点を受け部２２０Ｂとする「てこの原理」を利用して大便器８０を床９０から上昇させることができる。つまり、昇降部３００Ａは、大便器８０を昇降させることができる。
【００５０】
そして、作業者は、昇降部３００Ａを把持して大便器運搬用具１０Ａを移動させることで、大便器８０を運搬することができる。このように、本実施形態に係る大便器運搬用具１０Ａは、トイレ空間の床９０に沿って水平方向に移動することができる。
【００５１】
本実施形態に係る大便器運搬用具１０Ａによれば、図１および図２に関して前述した大便器運搬用具１０の効果と同じ効果が得られるとともに、車輪１１０が設けられているため、作業者は、トイレ空間の床９０に沿ってより容易に大便器運搬用具１０Ａを水平方向に移動することができる。そのため、重量物である大便器８０を狭小空間で簡便に運搬することができる。
【００５２】
受け部２２０Ｂがスカート部８４０を支持する位置は、支持部２１０がリム部８３０の下の部分８３１を支持する位置よりも低いことがより好ましい。これは、図１および図２に関して前述した通りである。また、本実施形態の受け部２２０Ｂは、図４（ａ）および図４（ｂ）に関して前述した受け部２２０Ａに置き換えられてもよい。また、車輪１１０の数は、２つには限定されず、例えば３つ以上であってもよい。
【００５３】
次に、本発明のさらに他の実施形態に係る大便器運搬用具について、図面を参照しつつ説明する。
図１１は、本発明のさらに他の実施形態に係る大便器運搬用具を表す側面図である。
図１２は、図１１に表した矢印Ａ１３の方向にみたときの本実施形態に係る大便器運搬用具を表す正面図である。
図１３は、本実施形態に係る大便器運搬用具が大便器を上昇させたときの状態を表す側面図である。
図１４は、大便器が上昇する前の状態および大便器が上昇した後の状態を併せて表した側面図である。
【００５４】
本実施形態に係る大便器運搬用具１０Ｂは、支柱１００Ａと、固定部２００Ｂと、昇降部３００Ａと、車輪１１０と、を備える。支柱１００Ａ、昇降部３００Ａおよび車輪１１０は、図５〜図１０に関して前述した通りである。固定部２００Ｂは、支柱１００Ａの中央部よりも下に設けられ、支持部２１０Ａと、受け部２２０Ｃと、連結部２３０Ｂと、ストッパ２４０と、を有する。
【００５５】
支持部２１０Ａは、連結部２３０Ｂの他方の端部２３２に取り付けられている。左右方向にみたときに、支持部２１０Ａは、略円形を呈する。支持部２１０Ａは、ボウル部８２０におけるリム部８３０の下で大便器８０を支持する。この詳細については、後述する。
【００５６】
受け部２２０Ｃは、上下方向に延びている。受け部２２０Ｃの一方の端部２２６は、上下方向に延びた部分から前に屈曲し延びている。受け部２２０Ｃは、一方の端部２２６において、支柱１００Ａに取り付けられた保持部１２０に接続され、左右方向に延びた軸を中心として保持部１２０に対して回動自在に軸支されている。図１１に表したように、受け部２２０Ｃは、スカート部８４０に対向するように設けられ、スカート部８４０で大便器８０を支持する。この詳細については、後述する。
【００５７】
ストッパ２４０は、支柱１００Ａおよび受け部２２０Ｃに接続されている。例えば、ストッパ２４０の外周には、雄ねじが形成されている。例えば、支柱１００Ａには、ストッパ２４０の外周に形成された雄ねじと嵌まり合う雌ねじが形成されている。ストッパ２４０は、所定の方向に回転することで支柱１００Ａから受け部２２０Ｃへ向かう方向（後方向）に進み、受け部２２０Ｃを後の方向に押すことができる。他の構造は、図５〜図１０に関して前述した大便器運搬用具１０Ａの構造と同じである。
【００５８】
図１１に表した矢印Ａ２３のように、ストッパ２４０が後に向かって進むと、受け部２２０Ｃは、ストッパ２４０から押される。すると、図１１に表した矢印Ａ２４のように、受け部２２０Ｃは、保持部１２０に接続された部分を中心として回転し、スカート部８４０に当たる。そのため、受け部２２０Ｃは、大便器８０の外側から内側に向かって力を与える。これにより、受け部２２０Ｃは、スカート部８４０で大便器８０を支持することができる。ストッパ２４０は、受け部２２０Ｃがスカート部８４０に当たった状態を維持することができる。
【００５９】
ここで、図１１に表した矢印Ａ２５のように、作業者が昇降部３００Ａを把持し前に向かって移動させると、支持部２１０Ａは、受け部２２０Ｃに接続された部分を中心として回転し、リム部８３０の下の部分８３１（図３（ａ）参照）に引っ掛かる。そのため、支持部２１０Ａは、大便器８０の内側から外側に向かって力を与える。これにより、支持部２１０Ａは、ボウル部８２０におけるリム部８３０の下で大便器８０を支持し固定することができる。
【００６０】
このように、固定部２００Ｂは、大便器８０の底８１０よりも上の部分で大便器８０を支持し固定することができる。
【００６１】
固定部２００Ｂが大便器８０を支持し固定した状態から作業者が昇降部３００Ａをさらに前に向かって移動させると、大便器８０は、図１３および図１４に表したように床９０から上昇する。このように、本実施形態に係る大便器運搬用具１０Ｂでは、作業者は、昇降部３００Ａを前に向かって移動させることで、支点を車輪１１０とし、力点を昇降部３００Ａとし、作用点を受け部２２０Ｃとする「てこの原理」を利用して大便器８０を床９０から上昇させることができる。つまり、昇降部３００Ａは、大便器８０を昇降させることができる。
【００６２】
そして、作業者は、昇降部３００Ａを把持して大便器運搬用具１０Ｂを移動させることで、大便器８０を運搬することができる。このように、本実施形態に係る大便器運搬用具１０Ｂは、トイレ空間の床９０に沿って水平方向に移動することができる。
【００６３】
受け部２２０Ｃがスカート部８４０を支持する位置は、支持部２１０Ａがリム部８３０の下の部分８３１を支持する位置よりも低いことがより好ましい。これは、図１および図２に関して前述した通りである。また、本実施形態の受け部２２０Ｃは、図４（ａ）および図４（ｂ）に関して前述した受け部２２０Ａに置き換えられてもよい。また、車輪１１０の数は、２つには限定されず、例えば３つ以上であってもよい。
【００６４】
次に、本発明のさらに他の実施形態に係る大便器運搬用具について、図面を参照しつつ説明する。
図１５は、本発明のさらに他の実施形態に係る大便器運搬用具を表す側面図である。
図１６は、図１５に表した矢印Ａ１４の方向にみたときの本実施形態に係る大便器運搬用具を表す正面図である。
図１７は、本実施形態に係る大便器運搬用具が大便器を上昇させたときの状態を表す側面図である。
【００６５】
本実施形態に係る大便器運搬用具１０Ｃは、支柱１００Ａと、固定部２００Ｂと、昇降部３００Ｂと、車輪１１０と、を備える。支柱１００Ａ、固定部２００Ｂおよび車輪１１０は、図１１〜図１４に関して前述した通りである。なお、本実施形態に係る大便器運搬用具１０Ｃは、４つの車輪１１０を備える。
【００６６】
支柱１００Ａに取り付けられた保持部１２０Ａは、支柱１００Ａの後側だけではなく支柱１００Ａの前側にも延びている。つまり、保持部１２０Ａは、支柱１００Ａの前後方向の両側に延びている。この点において、本実施形態の保持部１２０Ａは、図１１〜図１４に関して前述した保持部１２０とは異なる。
【００６７】
昇降部３００Ｂは、支柱１００Ａの中央部よりも下に設けられ、支柱１００Ａの前側において支柱１００Ａに取り付けられている。昇降部３００Ｂは、いわゆるジャッキであり、可動部３５０を有する。可動部３５０は、保持部１２０Ａに接続されている。これにより、可動部３５０は、保持部１２０Ａを介して受け部２２０Ｃおよび支持部２１０Ａに接続されている。
【００６８】
ジャッキの種類は、特には限定されない。昇降部３００Ｂに用いられるジャッキとしては、例えば、油圧ジャッキや、水圧ジャッキや、ジャーナルジャッキや、ラチェットジャッキや、スクリュージャッキや、ウォームギアジャッキなどが挙げられる。他の構造は、図１１〜図１４に関して前述した大便器運搬用具１０Ｂの構造と同じである。
【００６９】
図１１〜図１４に関して前述したように、受け部２２０Ｃは、スカート部８４０で大便器８０を支持することができる。また、ストッパ２４０は、受け部２２０Ｃがスカート部８４０に当たった状態を維持することができる。
【００７０】
ここで、図１５に表した矢印Ａ２６のように、昇降部３００Ｂの可動部３５０が上昇すると、保持部１２０Ａを介して可動部３５０に接続された支持部２１０Ａは、受け部２２０Ｃに接続された部分を中心として回転する。そして、支持部２１０Ａは、リム部８３０の下の部分８３１（図３（ａ）参照）に引っ掛かり、大便器８０の内側から外側に向かって力を与える。これにより、支持部２１０Ａは、ボウル部８２０におけるリム部８３０の下で大便器８０を支持し固定することができる。
【００７１】
固定部２００Ｂが大便器８０を支持し固定した状態から可動部３５０が上昇すると、大便器８０は、図１７に表したように、傾くことを抑えられた状態で床９０から上昇する。具体的には、大便器８０は、底８１０を水平に保たれた状態で床９０から上昇する。
【００７２】
作業者は、支柱１００Ａを把持して大便器運搬用具１０Ｃを移動させることで、大便器８０を運搬することができる。このように、本実施形態に係る大便器運搬用具１０Ｃは、トイレ空間の床９０に沿って水平方向に移動することができる。このとき、大便器運搬用具１０Ｃは、大便器８０の底８１０を水平に保った状態で大便器８０を床９０から上昇させるため、大便器８０のトラップ部に溜水が残っている場合であっても、その溜水が大便器８０の外部に漏れることを抑えることができる。また、図５〜図１４に関して前述した大便器運搬用具１０Ａおよび大便器運搬用具１０Ｂの効果と同じ効果が得られる。
【００７３】
次に、本発明のさらに他の実施形態に係る大便器運搬用具について、図面を参照しつつ説明する。
図１８は、本発明のさらに他の実施形態に係る大便器運搬用具を表す側面図である。
図１９は、図１８に表した矢印Ａ１４の方向にみたときの本実施形態に係る大便器運搬用具を表す正面図である。
図２０は、本実施形態に係る大便器運搬用具が大便器を上昇させたときの状態を表す側面図である。
【００７４】
本実施形態に係る大便器運搬用具１０Ｄは、枠体１００Ｂと、固定部２００Ｃと、昇降部３００Ｃと、車輪１１０と、を備える。車輪１１０は、図１１〜図１４に関して前述した通りである。なお、本実施形態に係る大便器運搬用具１０Ｃは、４つの車輪１１０を備える。
【００７５】
枠体１００Ｂは、複数の支柱を有し、箱形を呈する。具体的には、枠体１００Ｂが有する複数の支柱は、箱の稜線部に配置されている。箱の稜線部に相当する部分のうち、少なくともいずれかの部分は、開放されている。すなわち、開放された部分には、枠体１００Ｂを構成する支柱ならびに支柱間をつなぐ上側の横架材および下側の横架材のうち、少なくとも下側の横架材は設けられていない。例えば、図１８〜図２０に表した大便器運搬用具１０Ｄでは、後方の下側において左右方向に延びる部分には、横架材は設けられていない。これにより、図１８〜図２０に表したように、作業者は、大便器運搬用具１０Ｄを大便器８０に向かって移動させ、大便器運搬用具１０Ｄの後方の下側を通して枠体１００Ｂの中に大便器８０を収めることができる。枠体１００Ｂの支柱の材料は、特には限定されず、大便器運搬用具１０Ｄが大便器８０を運搬可能な範囲において、金属であってもよいし、樹脂であってもよい。あるいは、枠体１００Ｂの支柱の材料は、木材、木材チップに樹脂を含浸させたもの、紙（ボール紙、段ボールなど）、紙に樹脂を含浸させたもの、炭素繊維、およびＦＲＰなどの積層素材の少なくともいずれかまたはその組み合わせであってもよい。
【００７６】
図１９に表したように、固定部２００Ｃは、第１の支持部２１１Ｃと、第２の支持部２１２Ｃと、第１の中間部材２２１Ｃと、第２の中間部材２２２Ｃと、連結部２３０Ｃと、を有する。第１の支持部２１１Ｃおよび第２の支持部２１２Ｃは、それぞれの略中央部に設けられた軸２１５Ｃにおいて、互いに回動自在に軸支されている。
【００７７】
第１の中間部材２２１Ｃは、一方の端部において第１の支持部２１１Ｃに接続され、他方の端部において連結部２３０Ｃに接続されている。第２の中間部材２２２Ｃは、一方の端部において第２の支持部２１２Ｃに接続され、他方の端部において連結部２３０Ｃに接続されている。連結部２３０Ｃは、一方の端部において第１の中間部材２２１Ｃおよび第２の中間部材２２２Ｃに接続され、他方の端部において昇降部３００Ｃに接続されている。第１の中間部材２２１Ｃ、第２の中間部材２２２Ｃおよび連結部２３０Ｃには、例えばワイヤやチェーンなどが用いられる。
【００７８】
昇降部３００Ｃは、枠体１００Ｂの上部に取り付けられ、レバー部３１０Ｃを有する。昇降部３００Ｃは、連結部２３０Ｃの他方に端部に接続され、作業者がレバー部３１０Ｃを操作することにより、連結部２３０Ｃを昇降させることができる。
【００７９】
昇降部３００Ｂは、いわゆるジャッキである。ジャッキの種類は、特には限定されない。昇降部３００Ｃに用いられるジャッキとしては、例えば、油圧ジャッキや、水圧ジャッキや、ジャーナルジャッキや、ラチェットジャッキや、スクリュージャッキや、ウォームギアジャッキなどが挙げられる。
【００８０】
図１９に表した矢印Ａ３１のように、昇降部３００Ｃが連結部２３０Ｃを上昇させると、第１の中間部材２２１Ｃは、図１９に表した矢印Ａ３２の方向に引っ張られる。また、第２の中間部材２２２Ｃは、図１９に表した矢印Ａ３３の方向に引っ張られる。すると、第１の支持部２１１Ｃは、軸２１５Ｃを中心として図１９に表した矢印Ａ３４の方向に回転する。また、第２の支持部２１２Ｃは、軸２１５Ｃを中心として図１９に表した矢印Ａ３５の方向に回転する。
【００８１】
すると、第１の支持部２１１Ｃおよび第２の支持部２１２Ｃは、リム部８３０の下の部分８３１（図３（ａ）参照）に引っ掛かり、リム部８３０の下の部分８３１に対して突っ張り力を与える。これにより、第１の支持部２１１Ｃおよび第２の支持部２１２Ｃは、ボウル部８２０におけるリム部８３０の下で大便器８０を支持し固定することができる。
【００８２】
固定部２００Ｃが大便器８０を支持し固定した状態から昇降部３００Ｃが連結部２３０Ｃをさらに上昇させると、大便器８０は、図２０に表したように、傾くことを抑えられた状態で床９０から上昇する。具体的には、大便器８０は、底８１０を水平に保たれた状態で床９０から上昇する。
【００８３】
作業者は、枠体１００Ｂを把持して大便器運搬用具１０Ｄを移動させることで、大便器８０を運搬することができる。このように、本実施形態に係る大便器運搬用具１０Ｄは、トイレ空間の床９０に沿って水平方向に移動することができる。このとき、大便器運搬用具１０Ｄは、大便器８０の底８１０を水平に保った状態で大便器８０を床９０から上昇させるため、大便器８０のトラップ部に溜水が残っている場合であっても、その溜水が大便器８０の外部に漏れることを抑えることができる。
【００８４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。
また、前述した各実施の形態が備える各要素は、技術的に可能な限りにおいて組み合わせることができ、これらを組み合わせたものも本発明の特徴を含む限り本発明の範囲に包含される。
【符号の説明】
【００８５】
１０、１０Ａ、１０Ｂ、１０Ｃ、１０Ｄ  大便器運搬用具、  ８０  大便器、  ９０  床、    １００、１００Ａ  支柱、  １００Ｂ  枠体、  １１０  車輪、  １２０、１２０Ａ  保持部、  ２００、２００Ａ、２００Ｂ、２００Ｃ  固定部、  ２１０、２１０Ａ  支持部、    ２１１Ｃ  第１の支持部、  ２１２Ｃ  第２の支持部、  ２１５Ｃ  軸、  ２２０、２２０Ａ、２２０Ｂ、２２０Ｃ  受け部、  ２２１  基部、  ２２１Ｃ  第１の中間部材、  ２２２  第１の当接部、  ２２２Ｃ  第２の中間部材、  ２２３  第２の当接部、  ２２４  第１の軸部、  ２２５  第２の軸部、  ２２６  端部、  ２３０、２３０Ａ、２３０Ｂ、２３０Ｃ  連結部、  ２３１、２３２  端部、  ２４０  ストッパ、  ３００、３００Ａ、３００Ｂ、３００Ｃ  昇降部、  ３１０  第１の把持部、  ３１０Ｃ  レバー部、  ３２０  第２の把持部、  ３３０  第３の把持部、  ３４０  第４の把持部、  ３５０  可動部、  ８１０  底、  ８２０  ボウル部、  ８３０、８３０Ａ、８３０Ｂ  リム部、  ８３１、８３１Ａ、８３１Ｂ  部分、  ８４０  スカート部
【図１】
2017165571.tif 000003
【図２】
2017165571.tif 000004
【図３】
2017165571.tif 000005
【図４】
2017165571.tif 000006
【図５】
2017165571.tif 000007
【図６】
2017165571.tif 000008
【図７】
2017165571.tif 000009
【図８】
2017165571.tif 000010
【図９】
2017165571.tif 000011
【図１０】
2017165571.tif 000012
【図１１】
2017165571.tif 000013
【図１２】
2017165571.tif 000014
【図１３】
2017165571.tif 000015
【図１４】
2017165571.tif 000016
【図１５】
2017165571.tif 000017
【図１６】
2017165571.tif 000018
【図１７】
2017165571.tif 000019
【図１８】
2017165571.tif 000020
【図１９】
2017165571.tif 000021
【図２０】
2017165571.tif 000022